(57)【要約】【課題】本発明は、成型部の一部やホッパの一部を振動板体で形成し、該振動板体に加わる振動をモールド全体には影響しないように免震した状態で取り付け、その振動によりコンクリートを締め固めながら連続的に長尺のコンクリート構造物を構築するコンクリート構造物用モールド及びそのモールドによる施工方法を提供するものである。【解決手段】スリップフォーム工法となる可動しながらコンクリート構造物を連続的に施工する主としてコンクリート投入用ホッパ及び成型部よりなるモールドにおいて、該コンクリートを成型する成型部の一部を加振する振動板体となる型枠とし、該振動板体の周囲端縁部は、連続する他の型枠との間に免振部を設け、振動体の加振による該振動板体の振動が隣接する他の型枠やホッパに伝達されないようにしてなることを特徴とするコンクリート構造物用モールド。【選択図】図１
2014066019.tif 000002
【特許請求の範囲】
【請求項１】
スリップフォーム工法となる可動しながらコンクリート構造物を連続的に施工する主としてコンクリート投入用ホッパ及び成型部よりなるモールドにおいて、該コンクリートを成型する成型部の一部を加振する振動板体となる型枠とし、該振動板体の周囲端縁部は、連続する他の型枠との間に免振部を設け、振動体の加振による該振動板体の振動が隣接する他の型枠やホッパに伝達されないようにしてなることを特徴とするコンクリート構造物用モールド。
【請求項２】
振動板体は、ホッパに隣接する位置となる成型部の天井面の一部に設けてなることを特徴とする請求項１記載のコンクリート構造物用モールド。
【請求項３】
振動板体は、ホッパに隣接する位置となる成型部の天井面及び側壁面の一部に設けてなることを特徴とする請求項１記載のコンクリート構造物用モールド。
【請求項４】
振動板体は、ホッパの側壁部の一部と成型部の天井面の一部に跨って設けてなることを特徴とする請求項１記載のコンクリート構造物用モールド。
【請求項５】
振動板体は、ホッパの側壁部の一部と成型部の天井面及び側壁面の一部に設けてなることを特徴とする請求項１記載のコンクリート構造物用モールド。
【請求項６】
可動しながらコンクリート構造物を連続的に施工する主としてコンクリート投入用ホッパ及び成型部よりなるモールドを使用し、該コンクリート投入用ホッパの一部及び成型部の一部又は該コンクリート投入用ホッパに隣接した成型部の一部を振動板体となる型枠で形成し、該振動板体の周囲端縁部に形成した免振部により振動体の加振が隣接する他の型枠やホッパに伝達されないように免振された状態で該振動板体を振動させてコンクリートを締め固めながら長尺のコンクリート構造物を施工してなることを特徴とするコンクリート構造物用モールドによる施工方法。
【発明の詳細な説明】
【技術分野】
【０００１】
本発明は、型枠内のコンクリートに振動を与えながらコンクリート構造物を連続的に構築するコンクリート構造物用モールド及びそのモールドを使用したコンクリート構造物の施工方法に関する。
【背景技術】
【０００２】
道路側溝、防護壁、円形水路、橋梁端部のパラペット等の長尺のコンクリート構造物を連続的に構築するにあたって打設コンクリートに振動を与えながら施工するコンクリート構造物用モールドにおいて、従来は該モールド内部に直接棒状バイブレータを挿入し、コンクリートに振動を与えてコンクリート構造物を成型していた。また、下記する特許文献のように、型枠に振動を付与する技術もあった。
【０００３】
上記コンクリート構造物の内側に棒状バイブレータを挿入するものは、コンクリートを加振し液状化させるため構築しようとするコンクリート構造物にある程度の厚み（体積）を必要とし、それがないと使用できなかった。一般的に、コンクリート厚が１００ｍｍより厚い必要があり、それより薄くなるとバイブレータを使用しての施工は困難であった。
【０００４】
また、施工断面が小さいとコンクリートがバイブレータの影響を大きく受け、骨材分離を起こし、成型できずに豆板（雷おこし状態）になったり、小さい断面の中にバイブレータがあるためコンクリートの流れを阻害し断面欠損を生じる欠点があった。また、棒状バイブレータの位置付近とそれから離れた位置とではその締め固まり具合が異なる欠点があった。
【０００５】
また、下記する特許文献１には、スリップフォーム工法に使用する型枠の脱型作業において、その脱型作業と同時に型枠部材に微振動を伝達してコンクリート表面と型枠部材との間の付着物を低下させる技術が示されている。
【０００６】
また、特許文献２には、コンクリートにより水路を打設施工するに際し、外型枠の側板部にバイブレータを設け、該バイブレータによりコンクリートを締め固めながら連続的に形成していく技術が示されている。
【０００７】
上記特許文献１、２にあっては、型枠全体に振動が生じることになり、コンクリート構築物の成型が終了したものに対しても振動が付加され、不必要なコンクリート変形や分離が生じる欠点があった。
【先行技術文献】
【特許文献】
【０００８】
【特許文献１】特開２０００−４５５１７号公報
【特許文献２】特開昭６１−１６２６０２号公報
【発明の概要】
【発明が解決しようとする課題】
【０００９】
本発明は、上記欠点を解決したもので、コンクリートの打設される成型初期の段階で該コンクリートに対して面状に振動を付加して締め固めることができ、且つその振動は成型後のコンクリート構造物に影響を与えないようにしたコンクリート構造物用モールド及びそのモールドによる施工方法を提供するものである。
【００１０】
また、本発明は、成型部の一部やホッパの一部を振動板体で形成し、該振動板体に加わる振動をモールド全体には影響しないように免震した状態で取り付け、その振動によりコンクリートを締め固めながら連続的に長尺のコンクリート構造物を構築するコンクリート構造物用モールド及びそのモールドによる施工方法を提供するものである。
【課題を解決するための手段】
【００１１】
本発明は、スリップフォーム工法となる可動しながらコンクリート構造物を連続的に施工する主としてコンクリート投入用ホッパ及び成型部よりなるモールドにおいて、該コンクリートを成型する成型部の一部を加振する振動板体となる型枠とし、該振動板体の周囲端縁部は、連続する他の型枠との間に免振部を設け、振動体の加振による該振動板体の振動が隣接する他の型枠やホッパに伝達されないようにしてなるコンクリート構造物用モールドを特徴とする。
【００１２】
また、上記振動板体は、ホッパに隣接する位置となる成型部の天井面の一部に設けてなるコンクリート構造物用モールドを特徴とする。
【００１３】
更に、上記振動板体は、ホッパに隣接する位置となる成型部の天井面及び側壁面の一部に設けてなるコンクリート構造物用モールドを特徴とする。
【００１４】
また、上記振動板体は、ホッパの側壁部の一部と成型部の天井面の一部に跨って設けてなるコンクリート構造物用モールドを特徴とする。
【００１５】
更に、上記振動板体は、ホッパの側壁部の一部と成型部の天井面及び側壁面の一部に設けてなるコンクリート構造物用モールドを特徴とする。
【００１６】
また、可動しながらコンクリート構造物を連続的に施工する主としてコンクリート投入用ホッパ及び成型部よりなるモールドを使用し、該コンクリート投入用ホッパの一部及び成型部の一部又は該コンクリート投入用ホッパに隣接した成型部の一部を振動板体となる型枠で形成し、該振動板体の周囲端縁部に形成した免振部により振動体の加振が隣接する他の型枠やホッパに伝達されないように免振された状態で該振動板体を振動させてコンクリートを締め固めながら長尺のコンクリート構造物を施工してなるコンクリート構造物用モールドによる施工方法を特徴とする。
【発明の効果】
【００１７】
本発明のコンクリート構造物用モールド及びそのモールドによる施工方法は、成型部と一体化された面状の振動板体を使用することにより該振動板体に加わる振動によりコンクリートに幅広く均一に振動を与えることができ、小さなエネルギーで全体を締め固めることが可能となった。
【００１８】
また、該振動板体に加わる振動が板体により効率よく拡散されるためコンクリートの材料となる骨材とセメントとの分離を防ぐことができ、更に、その振動は該振動板体となる型枠の周囲に設けられた免振部により隣接する他の型枠やホッパへ伝達することを防止でき、成型されたコンクリート構造物に振動による影響を与えることを防止できることが可能となった。
【００１９】
また、棒状のバイブレータをコンクリート中に直接挿入して加振することなくモールドの外側から振動を付与することができるので施工するコンクリート構築物が薄厚であっても振動を付与させながら施工することが可能となった。
【図面の簡単な説明】
【００２０】
【図１】本発明のコンクリート構造物用モールドの斜視図。
【図２】本発明のコンクリート構造物用モールドの振動部の断面図。
【図３】本発明のコンクリート構造物用モールドの他の実施例の斜視図。
【図４】本発明のコンクリート構造物用モールドの振動部の他の実施例の断面図。
【図５】本発明のコンクリート構造物用モールドの他の実施例の斜視図。
【図６】本発明のコンクリート構造物用モールドの他の実施例の斜視図。
【図７】本発明のコンクリート構造物用モールドの他の実施例の斜視図。
【図８】本発明のコンクリート構造物用モールドの他の実施例の斜視図。
【図９】本発明のコンクリート構造物用モールドの他の実施例の斜視図。
【発明を実施するための形態】
【００２１】
以下、実施例に基づいてコンクリート構造物用モールド及びそのモールドによる施工方法について説明する。
【実施例１】
【００２２】
図１は、本発明のコンクリート構造物用モールド１の斜視図を示している。該コンクリート構造物用モールド１は、コンクリート供給手段から得たコンクリートを流し込むホッパ２、コンクリートの外形を成型するコ字型成型部３、該コ字型成型部３の上面を構成する成型部の一部となる振動板体４、該振動板体４とその隣接する成型部との間に設けた免振部５及び該振動板体４に振動を付与する振動体６とより構成されている。
【００２３】
該コ字型成型部３は、その両側壁が短寸法のもので、高さの低い薄いコンクリート構造物を連続施工するための型枠である。構築しようとするコンクリート構造物が薄いためコ字型成型部３の内側にバイブレータを挿入してコンクリートを加振することは困難であった。
【００２４】
また、施工断面が小さいためバイブレータによる振動の影響を大きく受け、骨材の分離現象を起こして豆板（雷おこし状態）になったり、無理にバイブレータを使用することになるので、該バイブレータによりコンクリートの流れが阻害され断面欠損が生じる原因となっていた。
【００２５】
図２は、振動板体４、免振部５及び振動体６とよりなる振動部の断面図を示したもので、コ字型成型部３の上面側の成型部の一部を振動板体４とし、該振動板体４を囲むようにして防振ゴム等の弾性体よりなる免振部５を設けている。該振動板体４の内側面は、他の成型部の内側面と面一となるように設けられている。
また、該免振部５を、上面部７と間挿部８とよりなる断面Ｔ字形状とし、該振動板体４の内側面と該間挿部８の先端部とは該コ字型成型部３の内壁面と面一となるように形成され、該成型部の内側となる内壁面は同一平面を形成している。
【００２６】
該コ字型成型部３及びその一部を構成する振動板体４との間に設けた免振部５は、該免振部５の上面部７の左右方向への突出部を利用してボルト・ナット９により該コ字型成型部３の縁部及び振動板体４の縁部に各々固定する。
【００２７】
該免振部５は、弾性体で形成されているので、振動体６により加振された振動板体４の振動は該免振部５により吸収され、他の隣接部位となる成型部の型枠にそのまま伝達されることなく遮断されることになり、振動板体４を除いたコンクリート構造物用モールド１の他の部位に振動による悪影響を与えることのない状態にまで大幅に減振させることができる。
【００２８】
該振動板体４は、図１で示すように、コンクリート構造物用モールド１のホッパ２に近接した位置のコ字型成型部３の上面に設けており、これによりコンクリートの成型当初において振動を付与することができ、且つコンクリートの分離現象が生じることなく成型を促進することができる。
【００２９】
該振動体６は、図１に示すように、振動板体４の上面に載置する構成のもの、また、図２に示すように、介在物を介して設置するもの、或いは図４に示すように、振動板体１３の左右に側壁板１３ａ、１３ｂを設け、該側壁板１３ａ、１３ｂに軸着した部材により振動体１５を該振動板部から浮かした状態での設置等様々な形状のものが考えられる。
【００３０】
また、該振動体６に振動を付与する手段も、その可動手段が直接本体に設けられたり、配線や無線等により遠隔操作が可能なようにすることもできる。また、該振動体１５の両側面や前面、天井面側等の一部又は全体をカバー部材１３ｃ、１３ｄ、１３ｃ、１３ｄ、１３ｆにより被覆することもできる。
【００３１】
以下に示す各実施例においても、振動体の設置方法、振動付与手段及び振動体のカバー部材等については上記記載と同様とすることができるが、文章及び図面は割愛している。
【実施例２】
【００３２】
図３は、本発明のコンクリート構造物用モールド１０の他の実施例の斜視図を示している。ホッパ１１とコ字型成型部１２とに跨って断面略Ｌ字型の振動板体１３を形成している。
【００３３】
従って、該振動板体１３は、ホッパ１１の壁面の一部及びコ字型成型部１２の型枠の一部を構成することになり、その周囲は免振部１４で他の隣接部位となる型枠と断絶され、該振動板体１３は振動体１５により振動が付与されることになる。
【００３４】
図４は、振動板体１３、免振部１４及び振動体１５よりなる振動部の断面図を示している。振動板体１３は、断面略Ｌ字型とし、立ち上がり部１６がホッパ１１の壁面の下方部となる基端部の一部を形成し、面取り部１７を設けて平板部１８としてコ字型成型部１２の上面を構成する成型部としての型枠の一部としている。該振動板体１３の立ち上がり部１６の先端部及び平板部１８の先端部並びに両側面を形成する側縁部には各々免振部１４により囲繞形成されている。
【００３５】
該免振部１４は、上面部１９と間挿部２０とよりなる断面Ｔ字形状とし、該振動板体１３の内側面と該間挿部２０の先端部とは該ホッパ１１及びコ字型成型部１２の内壁面と面一となるように形成されている。
【００３６】
また、該ホッパ１１、コ字型成型部１２及び振動板体１３と該免振部１４とは該免振部１４の上面部１９の左右方向への突出部を利用してボルト・ナット２１により固定する。上記実施例１と同様、該免振部１４は弾性体で形成されているので、振動体１５により加振された振動は該免振部１４により吸収され、他の隣接部位となる成型部の型枠にそのまま伝達されることなく遮断されることになり、振動板体１３を除いたコンクリート構造物用モールド１０の他の部位に振動による悪影響を与えることはない状態にまで大幅に減振させることができる。
【実施例３】
【００３７】
図５は、本発明のコンクリート構造物用モールド２２の他の実施例の斜視図を示している。ホッパ２３に続くコ字型成型部２４は、道路側溝、防護壁、橋梁端部のパラペット等の高さのある立設部を有したコンクリート構造物を成型するもので、高さの有る両壁を備えたコ字型成型部２４を構成している。
【００３８】
従って、振動板体２５は、ホッパ２３に隣接した天井面と左・右両壁面よりなるコ字型成型部２４の形状と同様、連続するコ字型を構成している。該振動板体２５は、コ字型となる天井面２６及び左・右両壁面２７、２８とされ、該左・右両壁面２７、２８の下端部は下方部にまで延出し、該振動板体２５に付加された振動が構築されるコンクリート構造物の下方部まで行き渡るようにしてコ字型成型部２４の一部を構成している。
【００３９】
該振動板体２５の周囲は、免振部２９により隣接する他の部位となる型枠と遮断され、該振動板体２５は振動体３０により振動が付与されることになる。
【００４０】
該免振部２９の形状及びその取り付け並びに振動体３０の形状及びその取り付けや操作方法等については上記実施例１、２と同様である。
【実施例４】
【００４１】
図６は、本発明のコンクリート構造物用モールド３１の他の実施例の斜視図を示している。実施例３と同様、ホッパ３２に続くコ字型成型部３３は、道路側溝、防護壁、橋梁端部のパラペット等の高さの有る立設部を持ったコンクリート構造物を成型するもので、その両壁が立ち上がったコ字型成型部３３を構成している。
【００４２】
振動板体３４は、ホッパ３２に隣接したコ字型成型部３３の天井面３５及び左・右両壁面３６、３７と連続するコ字型板部並びに該天井面３５及び左・右両壁面３６、３７のホッパ３２側の端縁部からホッパ３２の側壁３８に鍔状に延出したホッパ側壁板体３９とよりなる略Ｌ字形状の断面を有するものとしている。
【００４３】
上記略Ｌ字形断面の振動板体３４の周囲は、免振部４０により他の隣接部位となる型枠と遮断され、該振動板体３４は振動体４１により振動が付与されることになる。
【００４４】
なお、該振動板体３４は、図７に示すように、ホッパ３２側とコ字型成型部３３側とに分離し、その間に免振部４０を設けることによりホッパ３２及びコ字型成型部３３の異なる部位となる型枠の異なる固有振動が共振して他の部位となる型枠に大きな振動を与えて影響を及ぼさないようにすることができる。
【実施例５】
【００４５】
図８は、本発明のコンクリート構造物用モールド４２の他の実施例の斜視図を示している。ホッパ４３に続くコ字型成型部４４は、排水路を成型するもので、該コ字型成型部４４の内側に水路用成型枠４５が突出形成されている成型部である。
【００４６】
振動板体４６は、ホッパ４３に隣接する該コ字型成型部４４の天井面４７及び左・右両壁面４８、４９と連続するコ字型として構成している。振動板体４６の振動が構築されるコンクリート構造物の下方部にまで行き渡るようにしている。
【００４７】
該振動板体４６の周囲は、免振部５０により他の隣接する部位と遮断され、該振動板体４６は振動体５１により振動が付与されることになる。
【実施例６】
【００４８】
図９は、本発明のコンクリート構造物用モールド５２の他の実施例の斜視図を示している。ホッパ５３に続くコ字型成型部５４は、実施例５と同様、排水路を成型するもので、該コ字型成型部５４の内側に水路用成型枠５５が突出形成されている成型部である。
【００４９】
振動板体５６は、該コ字型成型部５４の天井面５７側の板体及び該天井面５７のホッパ５３側の端縁部からホッパ５３の側壁５８に延出したホッパ側壁板体５９とよりなる略Ｌ字形の断面を有するものとしている。
【００５０】
上記略Ｌ字形断面の振動板体５６の周囲は、免振部６０により他の部位と遮断され、該振動板体５６は振動体６１により振動が付与されることになる。
【００５１】
なお、上記実施例において振動体は単数個を設置した状態で表現しているが、必要に応じて分割設置しても良いし、ホッパ側やコ字型成型部を形成する壁面側に設置する等、複数個を設けることもできる。
【符号の説明】
【００５２】
１、１０、２２、３１、４２、５２    コンクリート構造物用モールド
２、１１、２３、３２、４３、５３    ホッパ
３、１２、２４、３３、４４、５４    コ字型成型部
４、１３、２５、３４、４６、５６    振動板体
５、１４、２９、４０、５０、６０    免振部
６、１５、３０、４１、５１、６１    振動体
７、１９                            上面部
８、２０                            間挿部
９、２１                            ボルト・ナット
１６                                立ち上がり部
１７                                面取り部
１８                                平板部
２６、３５、４７、５７              天井面
２７、２８、３６、３７、４８、４９  壁面
３８、５８                          側壁
３９、５９                          ホッパ側壁板体
【図１】
2014066019.tif 000003
【図２】
2014066019.tif 000004
【図３】
2014066019.tif 000005
【図４】
2014066019.tif 000006
【図５】
2014066019.tif 000007
【図６】
2014066019.tif 000008
【図７】
2014066019.tif 000009
【図８】
2014066019.tif 000010
【図９】
2014066019.tif 000011
【手続補正書】
【提出日】平成24年11月12日(2012.11.12)
【手続補正２】
【補正対象書類名】明細書
【補正対象項目名】０００１
【補正方法】変更
【補正の内容】
【０００１】
本発明は、型枠内のコンクリートに振動を与えながらコンクリート構造物を連続的に構築するコンクリート構造物用モールドに関する。
【手続補正３】
【補正対象書類名】明細書
【補正対象項目名】０００９
【補正方法】変更
【補正の内容】
【０００９】
本発明は、上記欠点を解決したもので、コンクリートの打設される成型初期の段階で該コンクリートに対して面状に振動を付加して締め固めることができ、且つその振動は成型後のコンクリート構造物に影響を与えないようにしたコンクリート構造物用モールドを提供するものである。
【手続補正４】
【補正対象書類名】明細書
【補正対象項目名】００１０
【補正方法】変更
【補正の内容】
【００１０】
また、本発明は、成型部の一部やホッパの一部を振動板体で形成し、該振動板体に加わる振動をモールド全体には影響しないように免震した状態で取り付け、その振動によりコンクリートを締め固めながら連続的に長尺のコンクリート構造物を構築するコンクリート構造物用モールドを提供するものである。
【手続補正５】
【補正対象書類名】明細書
【補正対象項目名】００１１
【補正方法】変更
【補正の内容】
【００１１】
本発明は、スリップフォーム工法となる移動しながらコンクリート構造物を連続的に施工する主としてコンクリート投入用ホッパ及びコ字型成型部よりなるモールドにおいて、該コンクリート投入用ホッパ及び／又は該コ字型成型部の一部を振動体により振動可能な振動板体とし、該振動板体の端縁部には、連続する他の部位となるホッパやコ字型成型部へ振動が伝わるのを防止する連結機能を有する間挿部付き免振部を設け、該ホッパ及び／又は該コ字型成型部と該振動板体との間の該間挿部の内側先端部は、他の部位となる該ホッパ及び／又は該コ字型成型部と該振動板体の内壁面と面一となるように形成し、該振動体の加振による該振動板体の振動が隣接する他の部位のホッパやコ字型成型部に伝達されないようにしてなるコンクリート構造物用モールドを特徴とする。
【手続補正６】
【補正対象書類名】明細書
【補正対象項目名】００１２
【補正方法】変更
【補正の内容】
【００１２】
また、上記コ字型成型部は、高さの低い薄いコンクリート構造物を連続施工するための両側壁を短寸法としたコンクリート構造物用モールドを特徴とする。
【手続補正７】
【補正対象書類名】明細書
【補正対象項目名】００１３
【補正方法】変更
【補正の内容】
【００１３】
更に、上記振動板体は、ホッパに隣接する位置となるコ字型成型部の天井面の一部に設けてなるコンクリート構造物用モールドを特徴とする。
【手続補正８】
【補正対象書類名】明細書
【補正対象項目名】００１４
【補正方法】変更
【補正の内容】
【００１４】
また、上記振動板体は、ホッパの側壁部の一部とコ字型成型部の天井面の一部に跨って設けてなるコンクリート構造物用モールドを特徴とする。
【手続補正９】
【補正対象書類名】明細書
【補正対象項目名】００１５
【補正方法】変更
【補正の内容】
【００１５】
更に、上記振動板体は、ホッパに隣接する位置となるコ字型成型部の天井面及び側壁面の一部に設けてなるコンクリート構造物用モールドを特徴とする。
【手続補正１０】
【補正対象書類名】明細書
【補正対象項目名】００１６
【補正方法】変更
【補正の内容】
【００１６】
また、振動板体は、ホッパの側壁部の一部とコ字型成型部の天井面及び側壁面の一部に設けてなるコンクリート構造物用モールドを特徴とする。
【手続補正１１】
【補正対象書類名】明細書
【補正対象項目名】００１７
【補正方法】変更
【補正の内容】
【００１７】
本発明のコンクリート構造物用モールドは、成型部と一体化された面状の振動板体を使用することにより該振動板体に加わる振動によりコンクリートに幅広く均一に振動を与えることができ、小さなエネルギーで全体を締め固めることが可能となった。
【手続補正１２】
【補正対象書類名】明細書
【補正対象項目名】００２１
【補正方法】変更
【補正の内容】
【００２１】
以下、実施例に基づいてコンクリート構造物用モールドについて説明する。
【手続補正１３】
【補正対象書類名】特許請求の範囲
【補正対象項目名】全文
【補正方法】変更
【補正の内容】
【特許請求の範囲】
【請求項１】
スリップフォーム工法となる移動しながらコンクリート構造物を連続的に施工する主としてコンクリート投入用ホッパ及びコ字型成型部よりなるモールドにおいて、該コンクリート投入用ホッパ及び／又は該コ字型成型部の一部を振動体により振動可能な振動板体とし、該振動板体の端縁部には、連続する他の部位となるホッパやコ字型成型部へ振動が伝わるのを防止する連結機能を有する間挿部付き免振部を設け、該ホッパ及び／又は該コ字型成型部と該振動板体との間の該間挿部の内側先端部は、他の部位となる該ホッパ及び／又は該コ字型成型部と該振動板体の内壁面と面一となるように形成し、該振動体の加振による該振動板体の振動が隣接する他の部位のホッパやコ字型成型部に伝達されないようにしてなることを特徴とするコンクリート構造物用モールド。
【請求項２】
コ字型成型部は、高さの低い薄いコンクリート構造物を連続施工するための両側壁を短寸法としたことを特徴とする請求項１記載のコンクリート構造物用モールド。
【請求項３】
振動板体は、ホッパに隣接する位置となるコ字型成型部の天井面の一部に設けてなることを特徴とする請求項１又は２記載のコンクリート構造物用モールド。
【請求項４】
振動板体は、ホッパの側壁部の一部とコ字型成型部の天井面の一部に跨って設けてなることを特徴とする請求項１又は２記載のコンクリート構造物用モールド。
【請求項５】
振動板体は、ホッパに隣接する位置となるコ字型成型部の天井面及び側壁面の一部に設けてなることを特徴とする請求項１記載のコンクリート構造物用モールド。
【請求項６】
振動板体は、ホッパの側壁部の一部とコ字型成型部の天井面及び側壁面の一部に設けてなることを特徴とする請求項１記載のコンクリート構造物用モールド。
【手続補正書】
【提出日】平成25年1月18日(2013.1.18)
【手続補正１】
【補正対象書類名】明細書
【補正対象項目名】００１１
【補正方法】変更
【補正の内容】
【００１１】
本発明は、スリップフォーム工法となる移動しながらコンクリート構造物を連続的に施工する主としてコンクリート投入用ホッパ及びコ字型成型部よりなるモールドにおいて、該コンクリート投入用ホッパ及び／又は該コ字型成型部の一部を振動体により振動可能な振動板体とし、該振動板体の端縁部と、それに連続する他の部位となるホッパやコ字型成型部との間には、該振動板体の振動が他の部位に伝わるのを防止する該ホッパ及び／又はコ字型成型部と該振動板体との間に挿入する間挿部と該間挿部の端部より左右方向へ突出した上面部とよりなる弾性体の免振部を設け、該間挿部は、その内側先端部が他の部位となる該ホッパ及び／又は該コ字型成型部及び該振動板体の内壁面と面一となる位置に配設し、該上面部は、該ホッパ及び／又はコ字型成型部及び該振動板体の外壁面に左右突出部が位置するように配設し、該上面部を該振動板体とそれに隣接する他の部位となるホッパやコ字型成型部との連結手段としたコンクリート構造物用モールドを特徴とする。
【手続補正２】
【補正対象書類名】特許請求の範囲
【補正対象項目名】全文
【補正方法】変更
【補正の内容】
【特許請求の範囲】
【請求項１】
スリップフォーム工法となる移動しながらコンクリート構造物を連続的に施工する主としてコンクリート投入用ホッパ及びコ字型成型部よりなるモールドにおいて、該コンクリート投入用ホッパ及び／又は該コ字型成型部の一部を振動体により振動可能な振動板体とし、該振動板体の端縁部と、それに連続する他の部位となるホッパやコ字型成型部との間には、該振動板体の振動が他の部位に伝わるのを防止する該ホッパ及び／又はコ字型成型部と該振動板体との間に挿入する間挿部と該間挿部の端部より左右方向へ突出した上面部とよりなる弾性体の免振部を設け、該間挿部は、その内側先端部が他の部位となる該ホッパ及び／又は該コ字型成型部及び該振動板体の内壁面と面一となる位置に配設し、該上面部は、該ホッパ及び／又はコ字型成型部及び該振動板体の外壁面に左右突出部が位置するように配設し、該上面部を該振動板体とそれに隣接する他の部位となるホッパやコ字型成型部との連結手段としたことを特徴とするコンクリート構造物用モールド。
【請求項２】
コ字型成型部は、高さの低い薄いコンクリート構造物を連続施工するための両側壁を短寸法としたことを特徴とする請求項１記載のコンクリート構造物用モールド。
【請求項３】
振動板体は、ホッパに隣接する位置となるコ字型成型部の天井面の一部に設けてなることを特徴とする請求項１又は２記載のコンクリート構造物用モールド。
【請求項４】
振動板体は、ホッパの側壁部の一部とコ字型成型部の天井面の一部に跨って設けてなることを特徴とする請求項１又は２記載のコンクリート構造物用モールド。
【請求項５】
振動板体は、ホッパに隣接する位置となるコ字型成型部の天井面及び側壁面の一部に設けてなることを特徴とする請求項１記載のコンクリート構造物用モールド。
【請求項６】
振動板体は、ホッパの側壁部の一部とコ字型成型部の天井面及び側壁面の一部に設けてなることを特徴とする請求項１記載のコンクリート構造物用モールド。